(57)【要約】【課題】録音再生手段を、従来からの配送伝票に基づく配送システム上で配送可能にし、声のメッセージを贈り物として手軽に送付できるようにする。【解決手段】窓部１４を有した封筒状の包装体２に、開口部１５を有し薄形にして音情報の録音再生手段１７を設けた薄形の録音再生手段所持体３を配し、包装体２の窓部１４に対応する配送情報表示部１３を分離可能にして有する配送伝票４を包装体２内に収納して、配送伝票４の配送情報表示部１３を窓部１４と開口部１５とを介して外部に表出させた。【選択図】    図１
2005292472.tif 000002
【特許請求の範囲】
【請求項１】
窓部を有した封筒状の包装体の前記窓部が位置する面側に、該包装体の窓部に対応する開口部を有するとともに、薄形にして音情報の録音再生手段を設けた薄形の録音再生手段所持体が配され、前記包装体の窓部に対応する配送情報表示部を有する配送伝票を包装体内に収納して、配送伝票の配送情報表示部を窓部と開口部とを介して外部に表出させたことを特徴とする音情報送付装置。
【請求項２】
上記配送伝票は上記配送情報表示部を分離可能に備え、該配送情報表示部が上記窓部と開口部とを通して取り外しできる構成とした請求項１に記載の音情報送付装置。
【発明の詳細な説明】
【技術分野】
【０００１】
本発明は音声などの音情報を録音して所望時に再生できる手段を備え、その手段を利用して音情報を手軽に送付できるようにした装置に関するものである。
【背景技術】
【０００２】
音声などの音情報を記録し、そして再生できる機器には各種のものがあるが、近年において電池の薄形化や記録制御素子の小型化、発音機器の薄形化などが進んできており、これらを組み合わせて薄形とした音声の録音再生用具が提案されていて、その利用商品として、例えば、見開きタイプの一方の枚葉部に薄形化された前記録音再生用具を組み込み、他方の枚葉部の開き操作に連動したりスイッチ操作によって、録音再生用具から音声が発するようにしたメールカードがある（特許文献１参照）。また、配送物の届け先への音声情報を記録した録音再生用具を帳票に組み合わせた複写式配送伝票も提案されている（特許文献２参照）。
【特許文献１】特開平９−２０２０７２号公報
【特許文献２】特開２００３−２４６１６５号公報
【発明の開示】
【発明が解決しようとする課題】
【０００３】
ところで、上述した録音再生用具を備える配送伝票にあっては、配送物の送り主が声を入力し受取人がそれを再生するだけであるため、送り主から受取人に音声によるメッセージを伝える上で手間がかからず、心のこもった配送品であることを受取人側に印象付けできて有用なものとなっている。
しかしながら、上記配送伝票の帳票に組み入れられた録音再生用具は、配送物を送るときにしか利用できず、声によるメッセージ自体を主たる送り物としたい場合に利用できるものが現状においては存在しなかった。そのため薄形で嵩張ることがなく録音時や再生時の使い勝手がよい前記録音再生用具のような録音再生手段を利用して、音声によるメッセージの配送が行えるようにしたいとの要望があった。
そこで、本発明は上記事情に鑑み、上記録音再生手段を、従来からの配送伝票に基づく配送システム上で配送できるようにすることを課題とし、声のメッセージを贈り物として手軽に送付できるようにすることを目的とする。
【課題を解決するための手段】
【０００４】
本発明は上記課題を考慮してなされたもので、窓部を有した封筒状の包装体の前記窓部が位置する面側に、該包装体の窓部に対応する開口部を有するとともに、薄形にして音情報の録音再生手段を設けた薄形の録音再生手段所持体が配され、前記包装体の窓部に対応する配送情報表示部を有する配送伝票を包装体内に収納して、配送伝票の配送情報表示部を窓部と開口部とを介して外部に表出させたことを特徴とする音情報送付装置を提供して、上記課題を解消するものである。
また、本発明において、上記配送伝票は上記配送情報表示部を分離可能に備え、該配送情報表示部が上記窓部と開口部とを通して取り外しできる構成とすることが良好である。
【発明の効果】
【０００５】
本発明によれば、配送情報を記載した配送伝票を包装体に入れることでその配送情報が外部から目視確認できるようになり、そしてその包装体に録音再生手段所持体を配しているので、録音再生手段に音声を録音することにより声のメッセージを贈り物として手軽に送付できる。
また、配送伝票の配送情報表示部が包装体の窓部と録音再生手段所持体の開口部とを通して取り外しできるものとすることで、配送情報表示部に記載された配送情報に基づいて配送業務を行なう通常の配送システムにより一層適した形態の配送物となる。
【発明を実施するための最良の形態】
【０００６】
つぎに本発明を図１から図4に示す実施の形態に基づいて詳細に説明する。
図中１は音情報送付装置で、この音情報送付装置１は、封筒状の包装体２と薄形の録音再生手段所持体３と配送伝票４とが組み合わせられたものである。前記包装体２は図２に示されているように正面板５を底面板６が下となるようにして背面板７と対向配置するとともに、その正面板５の両側の側面板８に連接した糊代９を前記背面板７に貼り合わせて、上方を出し入れ口１０とする封筒形態となり、背面板７に上面板１１を介して連接された蓋板１２を前記正面板５の外面側に重ね合わせて貼り付けることができるようにしたものである。
そして、この包装体２にあっては、この包装体２の内部に前記配送伝票４を収納したときにその配送伝票４の所定位置に記載されている配送情報が外部に表出するように設けられている。このように内部に収納した配送伝票４の配送情報が外部に表出して必要時にその配送情報を目視確認できるようにするために、図示されているように正面板５とこの正面板５に重ねられる前記蓋板１２との両方に、配送伝票４の配送情報表示部１３に対応してこの配送情報表示部１３の全体が表出する大きさに開口された窓部１４が設けられている。
【０００７】
上記包装体２における正面板５の外面に上記録音再生手段所持体３が貼り付けられている。この録音再生手段所持体３は上記窓部１４に対応する位置に開口部１５を備えた厚紙などの紙材１６に薄形の音情報録音再生手段１７を組み込んだものであって、音情報録音再生手段１７は、ペーパーバッテリーなどの薄形の電池部１８、音情報入出力部１９、スイッチ部２０、録音再生制御部２１とから構成されていている。前記録音再生制御部２１はＩＣチップからなるものであって、前記スイッチ部２０に対して録音用として設定された所定操作を行なったときに前記電池部１８から給電された状態の下で前記音情報入出力部１９から取り込まれた音情報を録音する。また録音自体はＩＣチップに構成されたメモリに記録保持される。そして、スイッチ部２０に対する再生用として設定された所定操作を行なったときも前記電池部１８から給電された状態の下で前記音情報入出力部１９を動作させて録音された音情報を出力させるようにしている。
本実施の形態では、上記音情報入出力部１９として、たとえば圧電素子により形成された薄型のマイクロフォン兼スピーカーなどを用いることが好ましい。また、スイッチ部２０は、たとえば感圧センサ式スイッチ、タッチセンサ式スイッチ（たとえば静電容量を検知するタイプ）などの薄型スイッチを用いることが好ましい。さらに、電池部１８として、たとえばリチウムポリマー電池などの薄型でフレキシブルな電池を用いることが好ましい。なお、電池部１８からの電力供給は、スイッチ部２０の動作に依存することなく常時供給としても良い。
【０００８】
このように音情報録音再生手段１７は構成が簡単で薄形なものであるため、紙材１６の層中に組み入れても、紙材１６の厚さ以内に収まるか、或いは僅かに凸となる程度であり、これを配した音情報録音再生手段所持体３が薄形であることから、音情報送付装置１自体も薄形のものとなる。
本実施の形態においては、上記音情報録音再生手段１７での音情報入出力部１９とスイッチ部２０とは、録音操作や再生操作が行ない易いようにそれぞれの位置が、最外表面側となる蓋板１２に印刷表示されている。
【０００９】
上記配送伝票４は、この配送伝票４を包装体２の内部に配したときに包装体２の窓部１４と録音再生手段所持体３の開口部１５を通して外部に表出する位置に、差出人住所氏名や受取人住所氏名などの配送情報を記載する配送情報表示部１３を有するもので、さらにこの配送情報表示部１３以外の領域における所要の部分に、本音情報送付装置１の受取人に対して文字、図柄などを用いて情報を通知する通知情報表示部２２が設けられている。
この配送伝票４にあっては、図４に示すように台紙２３に対して、上記配送情報表示部１３以外の領域となる用紙２４が分離不能にして貼り合わされて、この用紙２４に上記通知情報表示部２２が設けられている。また、配送情報表示部１３の領域となる用紙２５は周囲の切り込み２６を介して前記用紙２４に面一にして並べられ、そして、前記台紙２３に対して分離可能にして貼り合わされているものであって、この用紙２５の上面に上記差出人住所氏名や受取人住所氏名などの配送情報を印字、印刷して配送情報表示部１３を構成することで、この配送情報表示部１３が台紙２３から剥離できるようにしている。
上記配送情報表示部１３が剥離できるようにするには、この配送情報表示部とする部分の裏面に接着力調整用の印刷２７を施した上紙２８と上記台紙２３とを、互いに剥離困難に接着する接着剤２９相互の貼り合わせによって接着し、この後に上記切り込み２６を入れるようにすればよい。しかし、この形態に限定されるものではない。
【００１０】
配送情報表示部１３自体はその大きさが包装体２の窓部１４と録音再生手段所持体３の開口部１５とを通して外部に取り出しできる大きさに設けられている。さらにこの配送情報表示部１３は図示されているように、それぞれが配達票、受領票としての役割を果たす複数の帳票３０を面一に配列して構成され、それぞれの帳票３０にその帳票３０の役割に応じた配送情報が記載され、これら帳票３０が単独で取り外しできるようにしている。
このように音情報送付装置１では必要に応じて取り外すことのできる配送情報表示部１３を備えているものとなるため、従来からある宅配システムにて配送できるものとなる。上述した実施の形態では配送情報表示部１３が複数の帳票３０から構成されているものとしたが、この配送情報表示部１３が一枚の用紙から構成されているものであってもよい。
【００１１】
包装体２には、この音情報送付装置１を既存の配送システムにて配送するための上記配送伝票４の他に、上記配送情報表示部１３の外部表出を損なわない位置、即ち配送伝票４の背部に薄形物を配送伝票４とともに収納することができ、その薄形物としては、図示されているように写真を取り付けたメッセージカード３１が挙げられるが、特にこのメッセージカードに限定されるものではない。
【００１２】
包装体２では蓋板１２が正面板５の全面に重ね合わせる構成としたが、この蓋板１２を正面板５の上辺部分のみに重ねて出し入れ口１０を閉じる封緘片状のものとすることも可能である。さらに蓋板１２を、正面板５の全面に重ね合わせて貼り付けたり封緘片状にして正面板５の上辺部分に重ねて貼り合わせるものとしたが、この蓋板を正面板に接着せずに開閉可能状態で正面板側に重ねて出し入れ口が閉じられるようにしてもよい。
また、上記録音再生手段所持体３を包装体２の正面板５の前面に貼り付ける構成としたが、録音再生手段所持体３の裏面側に上記音情報録音再生手段１７の一部分が出っ張るものである場合には、音情報録音再生手段１７の出っ張りを逃げるための開口を正面板５に形成することが可能である。さらに前記録音再生手段所持体３は正面板５の内面に貼り付けたり、包装体２に収納する形態とすることも可能である。
さらに音情報送付装置１を受け取った側でこの音情報送付装置１を壁などに掛けるようにすれば簡単に再生操作が行なえることから、その壁掛けなどが行ない易いように背面板にフックなどを設けておくようにすることも良好である。
【００１３】
上記封筒体２において上辺側を出し入れ口としたが、短辺である一方の側辺側を出し入れ口としてもよい。また、配送伝票において一部を配送情報表示部としてこれを分離可能にする構成に限定されず、例えば複数枚の帳票を分離可能にして綴じ合わせて最上位の帳票に記載した配送情報が下位の帳票にも同時複写される複写タイプのものとしてもよい。そしてこの場合、各帳票での配送情報表示部の位置が上記実施の例と同じように窓部に対応位置していればよいものである。
【図面の簡単な説明】
【００１４】
【図１】本発明に係る音情報送付装置の一例を示す説明図である。
【図２】一例における包装体を展開した状態で示す説明図である。
【図３】一例を包装体と録音再生手段所持体と配送伝票とに分解した状態で示す説明図
【図４】一例における配送伝票を断面で示す説明図である。
【符号の説明】
【００１５】
１…音情報送付装置
２…包装体
３…録音再生手段所持体
４…配送伝票
５…正面板
１２…蓋板
１３…配送情報表示部
１４…窓部
１５…開口部
１７…音情報録音再生手段
２２…通知情報表示部
３０…帳票
【図１】
2005292472.tif 000003
【図２】
2005292472.tif 000004
【図３】
2005292472.tif 000005
【図４】
2005292472.tif 000006